(57)【要約】  【課題】工具の交換が容易なエアハンマの工具取付装置を提供する。  【解決手段】シリンダ３内に挿入したピストンを往復動させてシリンダ３に設けられた工具７を打撃するエアハンマの工具取付装置である。シリンダ３から突出するように設けられて工具７が挿入されたブッシュ８と、ブッシュ８および工具７に嵌め被せられて工具７をブッシュ８に取り付ける工具支持部材とを備え、工具７にチゼル係合部７ａが、ブッシュ８にブッシュ係合部８ａがそれぞれ形成され、工具支持部材９が、構成部材９Ａと、構成部材９Ａを互いに組み合わせて一体にする固定部材９Ｂとを有し、構成部材９Ａの内面にブッシュ８の環状突部が入れられる第一係合部９ｃと、工具７のチゼル係合部７ａに入れられる第二係合部９ｄが形成され、構成部材９Ａが、円筒を半径方向に二分した形状をなし、固定部材９Ｂが、構成部材を締め付ける締付部９ｆと、締め付けを解除する解除部９ｇを備えている。  【選択図】図２  
2005066775.tif 000002
【特許請求の範囲】
【請求項１】
弁の切り替えにより、シリンダ内に挿入したピストンを往復動させてシリンダ先端に突出状に設けられた工具を打撃するようにしたエアハンマに工具を取付るエアハンマの工具取付装置であって、
シリンダの一端に、シリンダから突出するように設けられかつ工具が挿入されたブッシュと、
ブッシュおよび工具に嵌め被せられて工具をブッシュに取り付ける円筒状工具支持部材とを備え、
工具には外周面先端寄りに環状溝および環状突部のいずれかよりなる工具係合部が形成され、
ブッシュの外面に環状溝および環状突部のいずれかよりなるブッシュ係合部が形成され、
工具支持部材が、円筒状本体を構成する複数の構成部材と、構成部材を互いに組み合わせて円筒状に一体に固定する固定部材とを有し、
円筒状本体の内面にブッシュ係合部と嵌りあう環状溝および環状突部のいずれかよりなる第一係合部と、工具係合部と嵌りあう環状溝および環状突部のいずれかよりなる第二係合部が形成され、
構成部材が、円筒状本体を半径方向に二分した形状をなし、
固定部材が、構成部材を締め付けて一体にする締付部と、締め付けを解除するための解除部を備えている、エアハンマの工具取付装置。
【請求項２】
固定部材はバネ材でなり、締付部となる環状部と、
環状部から半径方向に突出して解除部となるつまみ部とよりなり、つまみ部を近づけることにより環状部の重なった部分が小さくなって環状部の半径が大きくなり、円筒状本体を二つの構成部材に分離し得るようになっている、請求項１記載のエアハンマの工具取付装置。
【発明の詳細な説明】
【技術分野】
【０００１】
本発明は、エアハンマの工具取付装置に関する。特に、鋳造されたワークに付着している砂等を落とすのに適したエアハンマ、いわゆるノックアウトマシンに用いられるエアハンマの工具取付装置に関する。
【背景技術】
【０００２】
従来のこの種エアハンマとして、実開平７−２０２７４号公報に記載のものや、特開平７−３２３３６８号公報に記載のものがある。（特許文献１、２参照）。
【０００３】
このエアハンマにおいては、シリンダにチゼルが挿入された状態でシリンダ先端外周に形成されたバネねじ込み部にバネをねじ込んでシリンダにチゼルを取り付けるようになっている。
【０００４】
ところで、実開平７−２０２７４号公報はいわゆるピストル型のエアハンマであるが、鋳造されたワークに付着している砂等を落とすノックアウトマシンでは、特開平７−３２３３６８号公報に記載されている、いわゆるストレート型のエアハンマを複数同時に用いることがある（特許文献３参照）。
【０００５】
上記ノックアウトマシンでは、複数のエアハンマがボックス内に立設状に設けられ、エアハンマ下方に配されたワークを叩くようになっている。
【０００６】
【特許文献１】実開平７−２０２７４号公報
【特許文献２】特開平７−３２３３６８号公報
【特許文献３】特開平１０−２９０５５号公報
【発明の開示】
【発明が解決しようとする課題】
【０００７】
このようなノックアウトマシンでは、通常エアハンマをノックアウトマシンに取り付けたままの状態でチゼルの交換を行なう。しかしながら、ボックスに取り付けられた状態で、バネの取付および取外を行ない、チゼルを交換する作業は困難である。
【０００８】
本発明は、上記問題を解決することを課題とし、チゼルなどの工具の交換が容易なエアハンマの工具取付装置を提供することを目的とする。
【課題を解決するための手段】
【０００９】
上記課題を解決するために、本発明のエアハンマの工具取付装置は、弁の切り替えにより、シリンダ内に挿入したピストンを往復動させてシリンダ先端に突出状に設けられた工具を打撃するようにしたエアハンマに工具を取付るエアハンマの工具取付装置であって、
シリンダの一端に、シリンダから突出するように設けられかつ工具が挿入されたブッシュと、ブッシュおよび工具に嵌め被せられて工具をブッシュに取り付ける円筒状工具支持部材とを備え、工具には外周面先端寄りに環状溝および環状突部のいずれかよりなる工具係合部が形成され、ブッシュの外面に環状溝および環状突部のいずれかよりなるブッシュ係合部が形成され、工具支持部材が、円筒状本体を構成する複数の構成部材と、構成部材を互いに組み合わせて円筒状に一体に固定する固定部材とを有し、円筒状本体の内面にブッシュ係合部と嵌りあう環状溝および環状突部のいずれかよりなる第一係合部と、工具係合部と嵌りあう環状溝および環状突部のいずれかよりなる第二係合部が形成され、構成部材が、円筒状本体を半径方向に二分した形状をなし、固定部材が、構成部材を締め付けて一体にする締付部と、締め付けを解除するための解除部を備えている、ものである。
【００１０】
上記、エアハンマの工具取付装置で、固定部材はバネ材でなり、締付部となる環状部と、環状部から半径方向に突出して解除部となるつまみ部とよりなり、つまみ部を近づけることにより環状部の重なった部分が小さくなって環状部の半径が大きくなり、円筒状本体を二つの構成部材に分離し得るようになっていることが好ましい。
【発明の効果】
【００１１】
請求項１記載のエアハンマの工具取付装置によれば、締付部による締め付けを解除すれば円筒状本体が二つの構成部材に分離され、工具をブッシュから外すことが可能になる。したがって工具の交換が容易にできる。
【００１２】
請求項２記載のの工具取付装置エアハンマによれば、締付部および環状部を簡便な構成で形成できる。    また、つまみ部を近づける力は通常の人の力程度であっても構成部材は確実に一体化されるので、円筒状本体を構成部材に二分するのに、特に工具は必要でない。
【発明を実施するための最良の形態】
【００１３】
以下、図１〜図２を参照して本発明の一実施形態のエアハンマの工具取付装置について説明する。エアハンマ１はワークＷに打撃を加えてワークＷ内から砂などの中子Ｓを排出させるものである。
【００１４】
エアハンマ１は水平状に設置された固定フレームＦに垂直状に取り付けられて、エアハンマ１の下方のワークＷを打撃するようになっている。
【００１５】
固定フレームＦ上にはエアハンマ１の垂直円筒状アウタシリンダ２が固定されている。アウタシリンダ２の上端付近および下端付近には高圧エアが送り込まれる下降用エア流入管路２ｃおよび上昇用エア流入管路２ｄが設けられている。
【００１６】
アウタシリンダ２内には上昇用エア入口２ｄおよび下降用エア入口２ｃを通じてアウタシリンダ２内へ供給される高圧エアによって下方および上方へ移動するインナシリンダ３が同芯状に挿通されている。
【００１７】
インナシリンダ３は固定フレームＦの孔Ｆａ内に遊挿され、インナシリンダ３の外周面にはアウタシリンダ２内を上エア室と下エア室とに仕切る環状突部３ａが突設されている。
【００１８】
インナシリンダ３の上端は、動力エアをインナシリンダ３内へ供給する動力エア供給管５が挿通されている。図示は省略したが、インナシリンダ３上部には、供給された動力エアにより動作するバルブが配されており、このバルブによりピストン６が上下に移動してチゼル７を打撃するようになっている。
【００１９】
インナシリンダ３の下部にはブッシュ８が下方突出状に圧入され、このブッシュ８にチゼル７が下方突出状に取付られている。チゼル７は、円筒状の工具支持部材９によりブッシュ８に取付られているものであり、以下、チゼル７、ブッシュ８および工具支持部材９の構成について説明する。
【００２０】
チゼル７のブッシュ８より下方に突出した部分の外面には、環状溝よりなるチゼル係合部7ａが形成されている。そして、ブッシュ８のインナシリンダ３より下方に突出した部分の外面には、環状突部よりなるブッシュ係合部８ａが形成されている。
【００２１】
工具支持部材９は、二つの円弧状構成部材９Ａを組み合わせて構成される円筒状本体と、構成部材９Ａを一体にする固定部材９Ｂとを有している。円筒状本体の内面には、ブッシュ８のブッシュ係合部８ａが入る環状溝からなる第一係合部９ｃと、チゼル７のチゼル係合部７ａに入る環状突部よりなる第二係合部９ｄが形成されている。さらに、円筒状本体の外面には固定部材９Ｂが入る環状溝９ｅが形成されている。
【００２２】
固定部材９Ｂは、針金を輪状にしかつ一部が二重になった二つの環状締付部９ｆと、環状部９ｆから半径方向に突出した固定解除用つまみ部９ｇよりなる。
【００２３】
上記の構成を有するチゼル７は以下のようにしてブッシュ８に取付られている。
【００２４】
まず、ブッシュ８にチゼル７を挿入する。ついで、構成部材９Ａを組み合わせて円筒状とし、ブッシュ８およびチゼル７の下部に嵌め被せる。この際、第一係合部９ｃにブッシュ８のブッシュ係合部８ａが入り、かつチゼル７のチゼル係合部７ａに第二係合部９ｄが入るようにする。
【００２５】
ついで、固定部材９Ｂを嵌めて構成部材９Ａを一体にする。一体にするには、固定部材９Ｂのつまみ部９ｇを互いに近づけて半径が大きくなった環状部９ｆを、構成部材９Ａの環状溝９ｅに入れ、その後つまみ部９ｇを通常の位置に戻す。すると環状部９ｆの半径は小さくなり、構成部材９Ａが締め付けられて一体になり、ブッシュ８にチゼル７が取り付けられる。
【００２６】
逆に、チゼル７をブッシュ８から取り外す際は、通常位置にあるつまみ部９ｇを近づけて環状部９ｆの半径を大きくし、環状溝９ｅから外せばよい。そうすれば構成部材９Ａの固定が解除され、チゼル７をブッシュ８から抜くことができる。
【００２７】
つまみ部９ｇを近づける力は通常の人の力で十分であり、特に工具は必要とされない程度の力とする。この程度の力であっても固定部材９Ｂにより構成部材９Ａは確実に一体となる。
【００２８】
上記の構成を有するエアハンマ１は、２ｃからエアを供給することによりインナシリンダ３が下降し、２ｄからエアを供給することによりインナシリンダ３が上昇し、チゼル７とワークｗとの距離が調整される。そして、エア供給管５からエアを供給することによりピストン６が上下動し、チゼル７がピストン６により打撃され、結果としてチゼル７によりワークＷが打撃される。
【００２９】
なお、本発明のエアハンマは、上記実施形態のものには限られない。例えば、チゼルに、環状突部からなるチゼル係合部が形成され、構成部材に、チゼル係合部が嵌まる環状溝よりなる第ニ係合部が形成されていてもよい。また、固定部材が板バネにより構成され、板バネの一端部から板状つまみ部が突出し、この板状つまみ部を、板バネの他端部にあけられた長孔に嵌めて、環状の締付部を形成するとともに、つまみ部を長孔内で動かすことにより締付部の径が変化するようにしてもよい。
【図面の簡単な説明】
【００３０】
【図１】本発明の一実施形態のエアハンマの工具取付装置を適用したエアハンマの一部切り欠き図である。
【図２】同エアハンマの工具取付装置の要部の分解斜視図である。
【符号の説明】
【００３１】
１    エアハンマ
２    アウタシリンダ
２ｃ  下降用エア流入管路
２ｄ  上昇用エア流入管路
３    インナシリンダ
３ａ  環状突部
５  動力エア供給管
６    ピストン
７    チゼル
7ａ  チゼル係合部
８    ブッシュ
８ａ  ブッシュ係合部
９    工具支持部材
９Ａ  構成部材
９Ｂ  固定部材
９ｃ  第一係合部
９ｄ  第二係合部
９ｅ  環状溝
９ｆ  環状締付部
９ｇ  解除用つまみ部
Ｆ    固定フレーム
Ｆａ  孔
Ｓ  中子
Ｗ  ワーク
【図１】
2005066775.tif 000003
【図２】
2005066775.tif 000004